(57)【要約】【課題】普及を促進できる安価な可変錠タイプの遊技機用キースイッチと、セキュリティの維持を可能にする出荷方法、製造方法を提供する。【解決手段】遊技機用キースイッチ１は、施錠される遊技機の内部に配置される。キーが挿入される錠本体部３にキーコードを変更可能なコード機構部９を有する。コード機構部９は、対応する箇所のキーコードを決定し、決定したキーコードと挿入されたキー２における対応する箇所のコード溝とが一致するかを検出するコード機構１０を、キー２の挿入方向に沿って８個配置可能に構成されており、８個よりも少ない４個備え、コード機構１０を配置する位置が任意に変更可能な数を出荷毎に変更される。【選択図】図６
2019051019.tif 000002
【特許請求の範囲】
【請求項１】
施錠される遊技機の内部に配置される遊技機用キースイッチであって、
キーコードを規定するコード溝が形成されたキーが挿入される錠本体部を備え、
前記錠本体部は、キーコードを変更でき、キーコードが一致するキーのみ回動可能とするコード機構部を有し、
前記コード機構部は、対応する箇所のキーコードを決定し、決定したキーコードと挿入されたキーにおける対応する箇所のコード溝とが一致するかを検出するコード部品を、キーの挿入方向に沿ってＮ個配置可能に構成され、
前記コード機構部は、Ｎ個よりも少ないＭ個のコード部品を備えることを特徴とする遊技機用キースイッチ。
【請求項２】
前記Ｎは、遊技機の施錠を解除するキーに形成されているコード溝の数に相当することを特徴とする請求項１に記載の遊技機用キースイッチ。
【請求項３】
請求項１又は２に記載の遊技機用キースイッチの出荷方法であって、
任意に変更可能な数を出荷する毎に、前記コード部品の配置位置が異なる製品を出荷することを特徴とする遊技機用キースイッチの出荷方法。
【請求項４】
請求項１又は２に記載の遊技機用キースイッチの製造方法であって、
任意に変更可能な数を製造する毎に、前記コード部品の配置位置を変更することを特徴とする遊技機用キースイッチの製造方法。
【発明の詳細な説明】
【技術分野】
【０００１】
本発明は、パチンコ機やパチスロ機等の遊技機に搭載される遊技機用キースイッチに関する。
【背景技術】
【０００２】
特許文献１，２に記載されているように、パチンコ機やパチスロ機等の遊技機においては、遊技機の内部設定を変更したりエラーを解除したりするためのスイッチとしてキースイッチが用いられている。キースイッチは、キーコードが一致するキーのみ回動可能とする錠本体部を備え、錠本体部に挿入されたキーが回動されるとセンサ部がスイッチ信号を出力する。遊技機は、スイッチ信号が入力されると内部設定の変更やエラー解除を受け付ける。
【０００３】
このように、遊技機においては、設定変更やエラー解除にキースイッチを用いることで不正行為を防止している。遊技機において、これらのキースイッチは、施錠された遊技機の内部に設けられており、遊技機の扉部に設けられた扉錠を開錠することでアクセスできる。
【０００４】
ところで、遊技機に用いられるキースイッチには、キーコードを変更できない単一錠タイプと、キーコードの変更が可能な可変錠タイプとがある。単一錠タイプは、遊技店で複数のキーを管理する必要があるため利便性に劣る。また、遊技店間でキーが共通するため、セキュリティも低い。
【０００５】
これに対し、可変錠タイプは、遊技店内に配置された全遊技機のキーコードを統一することができるため、全遊技機に対して同一キーを使用でき利便性に優れる。また、他の遊技店と異なるキーコードに設定できるため、遊技店間でキーが非共通となり、セキュリティにも優れている。
【先行技術文献】
【特許文献】
【０００６】
【特許文献１】特許４５８５９１２号明細書
【特許文献２】特許４６６６９７１号明細書
【特許文献３】特開２０１５‐２０３２４８号公報
【発明の概要】
【発明が解決しようとする課題】
【０００７】
しかしながら、可変錠タイプのキースイッチは、利便性に優れセキュリティも高いが、錠本体部に複雑な構成のコード機構部が必要であるため高価であり、普及が進まないといった課題がある。
【０００８】
本発明の一態様は、上記課題に鑑みなされたもので、普及を促進できる安価な可変錠タイプの遊技機用キースイッチと、安価な構成としながらもセキュリティを維持するための出荷方法、製造方法を提供することにある。
【課題を解決するための手段】
【０００９】
本発明は、上述した課題を解決するために、以下の構成を採用する。
【００１０】
すなわち、本発明の一側面に係る遊技機用キースイッチは、施錠される遊技機の内部に配置される遊技機用キースイッチであって、キーコードを規定するコード溝が形成されたキーが挿入される錠本体部を備え、前記錠本体部は、キーコードを変更でき、キーコードが一致するキーのみ回動可能とするコード機構部を有し、前記コード機構部は、対応する箇所のキーコードを決定し、決定したキーコードと挿入されたキーにおける対応する箇所のコード溝とが一致するかを検出するコード部品を、キーの挿入方向に沿ってＮ個配置可能に構成され、前記コード機構部は、Ｎ個よりも少ないＭ個のコード部品を備える。
【００１１】
上記構成では、コード機構部は、Ｎ個のコード部品を配置可能な構成でありながら、Ｎ個よりも少ないＭ個備える構成である。したがって、Ｎ個のコード部品に対応したＮ個のコード溝が形成されているキーによる操作を可能にしつつ、部品点数を削減して安価にすることができる。
【００１２】
コード部品の数をＮ個からＭ個に減らしたため、挿入されたキーのＮ個のコード溝のうち、キーコードとの一致を確認するのはＭ個となる。そのため、キースイッチ単体としてのセキュリティが低くなることは否めない。しかしながら、Ｍ個のコード部品を配置する場所を固定することなく定期的、あるいは一定数出荷する毎に変更することで、市場に出回った状態では、検出箇所が異なるキースイッチが分散配置され、不正し難い状態となり、高いセキュリティを確保することができる。
【００１３】
上記一側面に係る遊技機用キースイッチにおいて、前記Ｎは、遊技機の施錠を解除するキーに形成されているコード溝の数に相当する構成とすることができる。遊技店においては、利便乗、遊技機の施錠を解除するキーを遊技機用キースイッチのキーとして流用していることが多い。したがって、上記構成とすることで、遊技機用キースイッチのキーとして、遊技機の施錠を解除するキーを流用することができ、以前からの利便性を確保できる。
【００１４】
また、本発明の一側面に係る遊技機用キースイッチの出荷方法は、本発明の一側面に係る遊技機用キースイッチの出荷方法であって、任意に変更可能な数を出荷する毎に、前記コード部品の配置位置が異なる製品を出荷する。
【００１５】
上記構成では、任意に変更可能な数を出荷する毎に、前記コード部品の配置位置が異なる製品を出荷するので、上述したように、市場に出回った状態では、検出箇所が異なるキースイッチが分散配置され、不正し難い状態となり、高いセキュリティを確保することができる。
【００１６】
また、本発明の一側面に係る遊技機用キースイッチの製造方法は、本発明の一側面に係る遊技機用キースイッチの製造方法であって、任意に変更可能な数を生産する毎に、前記コード部品の配置位置を変更する工程を含む。
【００１７】
上記構成では、任意に変更可能な数を製造する毎に、前記コード部品の配置位置を変更するので、上述したように、市場に出回った状態では、検出箇所が異なるキースイッチが分散配置され、不正し難い状態となり、高いセキュリティを確保することができる。
【発明の効果】
【００１８】
本発明によれば、普及を促進できる安価な可変錠タイプの遊技機用キースイッチと、安価な構成としながらもセキュリティを維持するための出荷方法、製造方法を提供することができる。
【図面の簡単な説明】
【００１９】
【図１】（ａ）（ｂ）は、実施の形態に係る遊技機用キースイッチが搭載される遊技機であるパチスロ機を示す斜視図であり、（ａ）は外観を示し、（ｂ）は、扉部を開放した状態を示す。
【図２】（ａ）〜（ｃ）は、実施の形態に係る遊技機用キースイッチが搭載される遊技機であるパチンコ機を示す斜視図であり、（ａ）は外観を示し、（ｂ）は、扉部を開放した正面側の状態を示し、（ｃ）は、扉部を開放した背面側の状態を示す。
【図３】本実施形態に係る遊技機用キースイッチの外観示す斜視図である。
【図４】コード機構部の構成部品であるコード機構の説明図である。
【図５】参考例の遊技機用キースイッチの内部構造を示す斜視図である。
【図６】本実施形態に係る遊技機用キースイッチの内部構造を示す斜視図である。
【図７】本実施形態に係る遊技機用キースイッチの内部構造を示す斜視図である。
【図８】本実施形態に係る遊技機用キースイッチにおける、出荷とコード機構を配置する列の条件との関係を示す表である。
【図９】図８の初回出荷条件の遊技機用キースイッチに対してキーコードを設定した際の説明図である。
【図１０】本実施形態に係る遊技機用キースイッチの使用例を示す説明図である。
【発明を実施するための形態】
【００２０】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【００２１】
§１  適用例
まず、図１、図２を用いて、本発明が適用される場面の一例について説明する。図１の（ａ）（ｂ）は、本実施形態に係る遊技機用キースイッチ（以下、キースイッチと略記することもある）１が搭載される遊技機であるパチスロ機２１を示す斜視図であり、図１の（ａ）は外観を示し、図１の（ｂ）は、扉部２３を開放した状態を示す。図１の（ａ）に示すように、パチスロ機２１は、扉部２３と筐体部２４とを備え、正面に扉錠２２が設けられている。図１の（ｂ）に示すように、パチスロ機２１において、扉キー２５を用いて扉錠２２を開錠することで、扉部２３を開けることができる。筐体部２４内部には、パチスロ機２１を制御する確率設定部２６が配置されている。キースイッチ１（図３参照）は、確率設定部２６に実装される。
【００２２】
図２の（ａ）〜（ｃ）は、キースイッチ１が搭載される遊技機であるパチンコ機３１を示す斜視図であり、図２の（ａ）は外観を示し、図２の（ｂ）は、扉部３３を開放した正面側の状態を示し、図２の（ｃ）は、扉部３３を開放した背面側の状態を示す。図２の（ａ）に示すように、パチンコ機３１は、扉部３３と筐体部３４とを備え、正面に扉錠３２が設けられている。図２の（ｂ）に示すように、パチンコ機３１において、扉キー３５を用いて扉錠３２を開錠することで、扉部３３を開けることができる。図２の（ｃ）に示すように、扉部３３背面側には、パチンコ機３１を制御する確率設定部３６が配置されている。キースイッチ１（図３参照）は、確率設定部３６に実装される。
【００２３】
なお、ここでは、扉キー２５、扉キー３５として、別の部材番号を付したが、同一の遊技店であれば扉キー２５と扉キー３５とは共通である。扉錠２２および扉錠３２は共通である扉キー２５，３５のキーコードを規定するコード溝に合わせて設定されている。そして、確率設定部２６および確率設定部３６に実装されたキースイッチ１（図３参照）のキー（操作キー）２としても、利便性のため扉キー２５，３５が流用される。
【００２４】
§２  構成例
〔実施形態１〕
図３は、キースイッチ１の外観示す斜視図である。図３に示すように、キースイッチ（以下、キースイッチと略記することもある）１は、錠本体部３とセンサ部４とを備える。錠本体部３には、キー穴３ａよりキー２のキー本体部が挿入される。キー本体部には、キーコードを規定するコード溝２ａが形成されている。キー２には、錠本体部３に挿入される際の基準となる凸挿入基準２ｂが形成され、錠本体部３には凸挿入基準２ｂのガイドとなる凹挿入基準３ｂが形成されている。前述した扉キー２５，３５が流用されるキー２において、コード溝２ａは３段階の深さで８個形成されている。
【００２５】
錠本体部３は、内部に可変錠のコード機構部９を備え、コード機構部９に設定されたキーコードと一致するキー２のみ回動可能とする。コード機構部９には、コード部品である後述するコード機構１０（図４参照）が、キー２の挿入方向に沿って複数配置されている。センサ部４は、錠本体部３に挿入されたキー２が所定量回動すると、スイッチが入れられたことを示すスイッチ信号を出力する。
【００２６】
図４は、コード機構部９の構成部品であるコード機構１０の説明図である。コード機構１０は、対応する箇所のキーコードを決定し、決定したキーコードと挿入されたキー２における対応する箇所のコード溝２ａとが一致するかを検出する。図４に示すように、コード機構１０は、可動板１２と、コード一致検出溝１６が形成され、可動板１２に固定される固定板１１とを備える。可動板１２には、コード溝２ａの段数に応じた３つの穴からなる連結コード穴１４が設けられ、この連結コード穴１４に固定板１１に設けられたコード設定ピン１５が挿入されている。また、可動板１２には、キー２のコード溝２ａと当接する当接部１３が設けられており、可動板１２はコード溝２ａの３段階の深さに応じて３段階に変位する。可動板１２と固定板１１とは、連結コード穴１４に挿入されたコード設定ピン１５を介して連結されており、固定板１１は可動板１２と一体で動く。
【００２７】
図５は、参考例のキースイッチ１００の内部構造を示す斜視図である。図５に示すように、参考例のキースイッチ１００のコード機構部９は、キー２のコード溝２ａの溝数に応じた８組のコード機構１０で構成されている。錠本体部３にキー２のキー本体部を挿入すると、８つのコード溝２ａに応じて、８組のコード機構１０の可動板１２の高さが変わり、固定板１１の８つのコード一致検出溝１６の高さが変化する（図４参照）。コード一致検出溝１６の高さが、キー２の回転を可能にする所定の配置となっている場合、キー２を回転させることができる。８つのコード一致検出溝１６のうちの一つでも高さが違う場合は、キー２を回転させることができない。
【００２８】
図６、図７は、キースイッチ１の内部構造を示す斜視図である。図６、図７に示すように、キースイッチ１のコード機構部９は、８組のコード機構１０を配置できる構成ではあるが、その中の一部に相当する４組のコード機構１０で構成されている。換言すると、コード機構部９は、コード機構１０を、キー２の挿入方向に沿って８（Ｎ）個配置可能な構成を有し、８（Ｎ）個よりも少ない４（Ｍ）個のコード部品を備えている。
【００２９】
コード機構１０の配置箇所に対して、キー穴３ａが有る側から順番に１〜８の番号を付すと、図６に示す例では、１列目、２列目、５列目および６列目にコード機構１０が配置されている。図７に示す例では、３列目、４列目、７列目および８列目にコード機構１０が配置されている。
【００３０】
このように、キースイッチ１においては、コード機構部９におけるコード機構１０の構成数を使用されるキー２のコード溝の溝数よりも少なくしている。上述したように、コード機構１０は細かく複雑な部品であるため、このような部品の点数を削減することで、キースイッチ１の価格を効果的に安くすることができる。
【００３１】
ところで、可変錠において、設定可能なキーコード数は、コード機構部９におけるコード機構１０の配置数とコード機構１０にて検出可能なコード溝２ａの深さの段数によって決まる。したがって、扉キー２５，３５の段数は「３」であるため、８組構成の参考例のキースイッチ１００では、「３」の８乗の６５６１通りのキーコードを設定することができる。つまり、キー２として流用される扉キー２５，３５は６５６１通り存在する。
【００３２】
これに対し、４組構成のキースイッチ１では、設定可能なキーコードは「３」の４乗の８１通りとなる。８つあるコード溝２ａの内のコード機構１０が配置されている４箇所のコード溝２ａしか検出しないため、キー本体部の形状が異なっていても、コード機構１０が配置されている箇所（列）のコード溝２ａの段数が同じであれば回動可能となる。６５６１通りのキー２が存在する状態で４組構成とすると、６５６１÷８１で８１通りのキー２が重複することとなる。したがって、セキュリティは参考例のキースイッチ１００に比べると当然低くなる。
【００３３】
しかしながら、上述したように、キースイッチ１は、パチスロ機２１やパチンコ機３１の内部に配置され、キースイッチ１にアクセスするには、扉錠２２，３２を開錠する必要がある。通常、扉錠２２，３２としては、８組のコード機構１０で構成されたセキュリティの高い錠が用いられており、扉キー２５，３５を用いることなく簡単に開錠できるものではない。したがって、パチスロ機２１やパチンコ機３１の内部に設置されるキースイッチ１に対して参考例のキースイッチ１００程に高いセキュリティは必要ない。
【００３４】
６５６１通りのキー２が４５都道府県に分散されている状態で、８１通りのキーが重複するということは、同一都道府県にて１〜２店舗の重複となり、２階層目のセキュリティとしては十分な安全性を確保できる。
【００３５】
さらに、この場合、４組のコード機構１０を配置する箇所（列）を固定せずに一定数の出荷毎あるいは生産毎に変更することが好ましい。これは、４組のコード機構１０を配置する箇所（列）を固定すると、遊技店の扉キー２５，３５を所有していない不適正者が、重複するキー２でキースイッチ１の操作可能であることを知り得た場合に、何らかの手法で扉部２３，３３を開けて不正を行うことが考えられるためである。
【００３６】
次に、キースイッチ１においてセキュリティを高く確保するための出荷方法、製造方法について説明する。
【００３７】
図８は、キースイッチ１における、出荷とコード機構１０を配置する列の条件との関係を示す表である。図８に示すように、初回出荷では８列の内の１列目、２列目、５列目および６列目の４列を使用し、この配置箇所で一定数を出荷すると、次は８列の内の１列目、２列目、６列目および７列目の４列を使用する。このように、一定の出荷数毎に配置箇所を変更する。一定の出荷数は任意に変更可能な数であり、例えば、全国にある遊技店の店舗数に相当する数とし、出荷条件が同じキースイッチ１が１店舗に１個配置されるような数に設定することができる。
【００３８】
８列のうちの４列を使用する組み合わせは８Ｃ４の７０通りあるため、４列の配置箇所は７０通りの組み違い（パターン）がある。したがって、図８に示すように、一定数の出荷毎に使用する４列を変更することで、例えば、後述する図１０に示すように、遊技店の同じ遊技島に、４列の配置箇所（出荷条件）がそれぞれ異なるパチンコ機３１が並列に設置された状態となる。これにより、後述のように、キー２が重複する危険性をさらに軽減することができる。なお、ここでは一定の出荷数毎に配置箇所を変更するとしたが、一定数の生産毎に配置箇所を変更してもよい。一定の生産数は任意に変更可能な数である。
【００３９】
図９は、図８の初回出荷条件の本実施の形態に係るキースイッチ１に対してキーコードを設定した際の説明図である。なお、ここではＡキー２に設定した場合を説明するが、キースイッチ１は可変錠であるため、Ａキー２、Ｂキー２、Ｃキー２のどれにでも設定することができる。Ａキー２、Ｂキー２、Ｃキー２には、コード機構１０の８組構成に対応して８箇所にコード溝２ａが設けられている。
【００４０】
初回出荷のキースイッチ１は、図中、○印で示す４箇所（１列目、２列目、５列目および６列目）においてのみコード溝２ａを検出する。検出した４箇所の内の１箇所でもコード溝２ａの段数が異なるキー２は使用できない。なお、×印で示す４箇所（３列目、４列目、７列目および８列目）においては、コード溝２ａを検出しないので、３段階の何れの段数であってもキー２の回動に支障はない（回動可能となる）。
【００４１】
図９に示す例では、Ａキー２、Ｂキー２、Ｃキー２における○印で示す４箇所のコード溝２ａの段数は一致していない。そのため、Ａキー２に設定されたキースイッチ１においては、Ａキー２でのみ回動操作が可能となる。
【００４２】
図１０は、キースイッチ１の使用例を示す説明図である。遊技店においては、パチスロ機２１やパチンコ機３１の入れ替えはその都度実施されており、新旧のパチスロ機２１やパチンコ機３１が混在している。そのため、一定数の出荷毎に使用する４列を変更することで、同一時期でも、異なる出荷条件のキースイッチ１を搭載したパチスロ機２１やパチンコ機３１が同じ遊技島に配置されたり、併設されたりすることがおこる。
【００４３】
図１０は、初回出荷から第４次出荷までのコード機構１０の配置位置が異なる４タイプのキースイッチ１が搭載されたパチンコ機３１が併設されている状態を仮定している。遊技店には、８つのコード溝２ａを有する扉キー３５が既にあり、各キースイッチ１には利便性のため扉キー３５がキー２として流用されている。図１０に示す例では、初回出荷から第４次出荷までの各キースイッチ１は、遊技店の扉キー３５であるＡキー２に設定されている。同じＡキー２に設定されていても、各キースイッチ１におけるＡキー２のコード溝２ａを検出する場所はそれぞれ異なっている。
【００４４】
この状態で、Ａキー２を所有する適正な使用者（遊技店の店長等）は、４台すべてのパチンコ機３１に対してキースイッチ１を操作することができる。これに対し、Ｂキー２を所有した非適正な使用者は、４台のパチンコ機３１の内の第２出荷条件のキースイッチ１を搭載した１台にしか操作できない。また、Ｃキー２を所有した非適正な使用者は、４台のパチンコ機３１の内の第４出荷条件のキースイッチ１を搭載した１台にしか操作できない。
【００４５】
このように、たとえ８１通りのキー２で重複しても、重複するキー２が同一ホール内でも異なるため、非適正なキー２を用いて何台かについては操作できるが、設置全台への不正な操作については確実に防止するこができる。非適正な使用者（不正者）は、所有している非適正なキー２でたまたま操作できるパチンコ機３１があっても、その隣のパチンコ機３１に対しては操作できないといったことが続くと混乱し、不正行為を煩雑と感じる。これにより、不正行為を止めさせ、不正を防止し抑制することができる。
【００４６】
以上のように、本実施の形態に係るキースイッチ１においては、コード機構部９は、対応する箇所のキーコードを決定し、決定したキーコードと挿入されたキー２における対応する箇所のコード溝とが一致するかを検出するコード機構１０を、キー２の挿入方向に沿ってＮ個配置可能に構成され、Ｎ個よりも少ないＭ個のコード部品を備えている。
【００４７】
これにより、コード機構部９に配設されるコード機構１０の数を抑制し、キースイッチ１の価格を安くすることができる。
【００４８】
しかも、コード機構１０を配置する箇所（列）を一定量の出荷、あるいは製造する毎に変更するので、コード機構部９の一部を用いる構成であっても、市場に出回り、配置する箇所（列）が異なるキースイッチ１が混在した状況下においてはセキュリティを確保することができる。
【００４９】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００５０】
実施形態１においては、扉キー２５，３５として、コード溝２ａが凸挿入基準２ｂを基準に３段階の深さで８つ形成されている構成を例示した。しかしながら、コード溝２ａの深さを４段、５段、６段として、コード機構１０の部品点数を削減しつつ、設定可能なコード数を増やすこともできる。
【００５１】
本願出願人は、先に、既存の遊技機に取り付けられている可変錠（コード機構８組、コード溝の深さが３段構成）よりもキーコード数が多く、かつ、市場の利便性を損なうことなく普及させることができる可変錠を提供することを目的として、既存の扉キーを使うことが可能で、既存の可変錠よりもキーコード数の多い遊技機用可変錠を出願している（特許文献３）。
【００５２】
コード増設扉錠（遊技機用可変錠）は、錠本体部がコード増設非対応の扉錠（既存の扉錠）の扉キーを挿入可能で、かつ、挿入基準がコード増設非対応の扉錠と共通であり、錠本体部に配設されるコード機構１０が、コード増設非対応の扉錠と同数かつ同間隔で配置し、かつ、可動板１２がコード増設非対応の扉錠よりも１段階以上多く変位する構成である。
【００５３】
このようなコード増設扉錠においては、コード機構１０の可動板１２においては、連結コード穴１４において増やした段数分の穴が設けられる。つまり、コード溝２ａの深さを４段、５段、６段とした場合は、連結コード穴１４を４穴構成、５穴構成、６穴構成とする。但し、５穴構成、６穴構成については、加工精度の問題から、錠本体部の径を太くする対応が必要である。
【００５４】
コード増設扉錠が設置された遊技機において、コード増設扉錠の扉キーを流用するためには、キースイッチ１の錠本体部３にも同様の構成が採用される。したがって、コード増設扉錠の錠本体部の構成をキースイッチ１の錠本体部に採用し、配設するコード機構１０の数を抑制することができる。
【００５５】
コード溝２ａの深さを４段とした場合、コード機構１０を４組構成としても「４」の４乗の２５６通りのキーコードを設定することができるので、コード機構部９の一部を使用する本発明の構成と組み合わせるとより効果的である。
【００５６】
§３  変形例
以上、本発明の実施の形態を詳細に説明してきたが、前述までの説明はあらゆる点において本発明の例示に過ぎない。本発明の範囲を逸脱することなく種々の改良や変形を行うことができることは言うまでもない。例えば、以下のような変更が可能である。なお、以下では、上記実施形態と同様の構成要素に関しては同様の符号を用い、上記実施形態と同様の点については、適宜説明を省略した。以下の変形例は適宜組み合わせ可能である。
【００５７】
例えば、上記実施形態では、キースイッチ１を、遊技機を確率の設定変更を受け付ける状態とする所謂、「設定キースイッチ」とする構成を例示したが、エラーを解除するための「リセットキースイッチ」として用いられてもよい。
【００５８】
また、上記実施形態では、コード機構１０を８組配置できる構成において４組配置する構成としたが、配置可能なコード機構１０の組数（Ｎ）は８組に限定されるものではない。また、８組配置できる構成において、コード機構１０の配置数は１組〜７組の任意の組み合わせでもよい。配置するコード機構１０の組数が増える分コストは高くなるが、セキュリティを高くできる。少なくともコード機構１０を１組減らすことで、コストを下げることができる。この場合も、コード機構１０を配置する箇所（列）を変更することが好ましい。使用列ごとの重複するキー数は以下のとおりである。
【００５９】
８列の内の１列を使用した場合の組み合わせは８Ｃ１の８通りであり、８通りのパターンで出荷できる。設定可能なキーコード数は３の１乗の３通りとなるため、６５６１通りのキー２が存在する状態では、６５６１÷３で２１８７通りのキー２が重複する。このような仕様でも、遊技店間でキーが共通となる単一錠タイプのキースイッチを用いる場合に比べて、セキュリティも高めることができる。
【００６０】
８列の内の２列を使用した場合の組み合わせは８Ｃ２の２８通りであり、２８通りのパターンで出荷できる。設定可能なキーコード数は３の２乗の９通りとなるため、６５６１通りのキー２が存在する状態では、６５６１÷９で７２９通りのキー２が重複する。
【００６１】
８列の内の３列を使用した場合の組み合わせは８Ｃ３の５６通りであり、５６通りのパターンで出荷できる。設定可能なキーコード数は３の３乗の２７通りとなるため、６５６１通りのキー２が存在する状態では、６５６１÷２７で２４３通りのキー２が重複する。
【００６２】
８列の内の４列を使用した場合の組み合わせは８Ｃ４の７０通りであり、７０通りのパターンで出荷できる。設定可能なキーコード数は３の４乗の８１通りとなるため、６５６１通りのキー２が存在する状態では、６５６１÷８１で８１通りのキー２が重複する。
【００６３】
８列の内の５列を使用した場合の組み合わせは８Ｃ５の５６通りであり、５６通りのパターンで出荷できる。設定可能なキーコード数は３の５乗の２４３通りとなるため、６５６１通りのキー２が存在する状態では、６５６１÷２４３で２７通りのキー２が重複する。
【００６４】
８列の内の６列を使用した場合の組み合わせは８Ｃ６の２８通りであり、２８通りのパターンで出荷できる。設定可能なキーコード数は３の６乗の７２９通りとなるため、６５６１通りのキー２が存在する状態では、６５６１÷７２９で９通りのキー２が重複する。
【００６５】
８列の内の７列を使用した場合の組み合わせは８Ｃ７の８通りであり、８通りのパターンで出荷できる。設定可能なキーコード数は３の７乗の２１８７通りとなるため、６５６１通りのキー２が存在する状態では、６５６１÷２１８７で３通りのキー２が重複する。
【００６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６７】
１、１００  遊技機用キースイッチ
２  キー
２ａ  コード溝
２ｂ  凸挿入基準
３  錠本体部
３ａ  キー穴
３ｂ  凹挿入基準
４  センサ部
９  コード機構部
１０  コード機構(コード部品)
１１  固定板
１２  可動板
１３  当接部
１４  連結コード穴
１５  コード設定ピン
１６  コード一致検出溝
２１  パチスロ機
２２、３２  扉錠
２３、３３  扉部
２４、３４  筐体部
２５、３５  扉キー
２６、３６  確率設定部
３１  パチンコ機
【図１】
2019051019.tif 000003
【図２】
2019051019.tif 000004
【図３】
2019051019.tif 000005
【図４】
2019051019.tif 000006
【図５】
2019051019.tif 000007
【図６】
2019051019.tif 000008
【図７】
2019051019.tif 000009
【図８】
2019051019.tif 000010
【図９】
2019051019.tif 000011
【図１０】
2019051019.tif 000012